(57)【要約】【課題】素足に着用した場合であっても履き心地が良く、かつ、ずれにくいフットカバーを提供する。【解決手段】このフットカバー１００は、爪先と踵を含む足底とを被覆するとともに足甲および足首を露出するフットカバーであって、爪先部１０２、足底部１０４、側辺部１０６および踵部１０８で形成され、これらの全ての部分が縫い目を備えず一体的に編成（編み機から直接立体的に１つの足装着具として編成）された伸縮性編地で形成され、開口部を形成する爪先部１０２の上縁および踵部１０８の上縁がゴム編みで編成されている。【選択図】図１
2014047433.tif 000002
【特許請求の範囲】
【請求項１】
爪先と踵を含む足底とを被覆するとともに足甲および足首を露出するフットカバーであって、足底部、側辺部、踵部および前記爪先を覆う爪先部で形成され、
前記足底部、前記側辺部、前記踵部および前記爪先部は、縫い目を備えず一体的に編成された伸縮性編地で形成され、
前記足底部に対して上下反対側に足を出し入れするための開口部を設け、
前記開口部を形成する前記爪先部の上縁および前記踵部の上縁の少なくともいずれかをゴム編みとしたことを特徴とするフットカバー。
【発明の詳細な説明】
【技術分野】
【０００１】
本発明は、着用すると、スニーカー（カジュアルな運動用の靴）やパンプス（履き口である甲部分が大きく開いている主として婦人用の靴）等の靴の内側に隠れて見えなくなるフットカバーに関し、特に、素足で着用するときの履き心地が好ましいフットカバーに関する。
【背景技術】
【０００２】
素足にスニーカーやパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にスニーカーやパンプスから露出することのないよう履き口が大きくカットされた薄手のフットカバーが提案されている。このフットカバーを素足に着用してスニーカーやパンプスを履けば、外観上、素足にスニーカーやパンプスを履いているように見え、足裏とスニーカーやパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合も、単に靴下と記載される場合もある。
このようなフットカバーは、上述したように素足に着用するため、足裏が当たる部分に縫い目（縫着線）があると、履き心地が非常に悪いという欠点がある。このような問題点に鑑みて開発されたフットカバー（靴下）が、以下の先行技術文献に開示されている。
【０００４】
実開平６−７９７０５号公報（特許文献１）は、縫い目のない伸縮性のある単一の布地からなる足底部材と、伸縮性のある布地からなり上記足底部の爪先側に縫着され、足の爪先を被覆する爪先部材と、上記足底部の踵側の端部をつまんで接合し踵の形状に適合するように形成された踵部と、上記爪先部材の縁部と、上記縁部に連続する上記足底部材の外縁部全周にわたって、縫着された伸縮性のある口ゴムと、上記踵部の内側の略中央に取り付けられた弾性片と、を備えてなることを特徴とする靴下を開示する。
【先行技術文献】
【特許文献】
【０００５】
【特許文献１】実開平６−７９７０５号公報
【発明の概要】
【発明が解決しようとする課題】
【０００６】
特許文献１に開示された靴下を素足に着用すると、足底部材に縫い目をなくしたので、従来のように足裏に縫い目が当たるようなこともなく、履き心地がよい。
しかしながら、特許文献１に開示された靴下を素足に着用すると、縫い目がないのは足底部材だけであって、爪先部材は足底部の爪先側に縫着され、踵部は足底部の踵側の端部をつまんで接合され、伸縮性のある口ゴムは足を出し入れするための開口部全周にわたって縫着されている。このため、このような縫着線および／または接合線が、足の各部分に当たるために、履き心地がよくない。
【０００７】
本発明は、従来技術の上述の問題点に鑑みて開発されたものであり、その目的とするところは、素足に着用した場合であっても履き心地の良いフットカバーを提供することである。
【課題を解決するための手段】
【０００８】
上記目的を達成するため、本発明に係るフットカバーは以下の技術的手段を講じている。
すなわち、本発明に係るフットカバーは、爪先と踵を含む足底とを被覆するとともに足甲および足首を露出する。このフットカバーは、足底部、側辺部、踵部および前記爪先を覆う爪先部で形成されている。そして、前記足底部、前記側辺部、前記踵部および前記爪
先部は、縫い目を備えず一体的に編成された伸縮性編地で形成され、前記足底部に対して上下反対側に足を出し入れするための開口部を設け、前記開口部を形成する前記爪先部の上縁および前記踵部の上縁の少なくともいずれかをゴム編みとしたことを特徴とする。
【発明の効果】
【０００９】
本発明のフットカバーによれば、ゴム編みされた部分を含めてその全体が、縫い目を備えず一体的に編成された伸縮性編地で形成されているので、素足に着用した場合であっても履き心地が良い。
【図面の簡単な説明】
【００１０】
【図１】本発明の実施の形態に係るフットカバーの全体斜視図である。
【図２】図１のフットカバーの着用時を想定した上面図（表側）である。
【図３】図１のフットカバーの着用時を想定した上面図（裏側）である。
【発明を実施するための形態】
【００１１】
以下、本発明の実施の形態に係るフットカバーを、図面に基づき詳しく説明する。なお、フットカバーの構造には様々なものがあり、本発明は特定の構造に限定されるものではなく、後述する、フットカバーの全ての部分が縫い目を備えず一体的に編成された伸縮性編地で形成されているという特徴を備えたものであれば、編地を形成する編み糸の種類がどのようなものであっても構わない。たとえば、編み糸に綿素材を含めることにより肌触りが良くなる点で好ましい。そのため、以下に示すフットカバーの構造自体は単なる例示でしかない。
【００１２】
また、以下に示すフットカバーは左右共用であるために、左右を履き間違いすることがない点で好ましい。
図１および図２に本発明の実施の形態に係るフットカバー１００を示す。図１はフットカバー１００の全体斜視図であって、図２はフットカバー１００の着用時を想定した表側の上面図であって、図３はフットカバー１００の着用時を想定した裏側の上面図（図２の状態でフットカバー１００を裏返した図）である。図１〜図３は着用者の足Ｆにフットカバーを着用している状態を想定している。すなわち、本発明の実施の形態に係るフットカバーは、パンティストッキング等の伸縮性生地（一体的に編成された編地）で形成されているために、このように想定して図示しない場合には縮んだ状態となり、形状を理解することが困難なため、上述のように想定している。
【００１３】
このフットカバー１００は、着用者の足Ｆの爪先と踵を含む足底とを被覆するとともに足甲および足首を露出するフットカバーである。このフットカバー１００は、着用時にスニーカーやパンプスから露出することのないよう履き口である開口部が大きくカットされた薄手の伸縮性生地であって一体的に編成された編地（パンティストッキング等の生地でもよい）で形成されている。
【００１４】
フットカバー１００は、上述したように一体的に編成された編地により形成されているが、以下の各部分に分けて説明する。フットカバー１００は、爪先部１０２、足底部１０４、側辺部１０６および踵部１０８で形成されている。爪先部１０２、足底部１０４、側辺部１０６および踵部１０８は、後述するゴム編み部を含めて、縫い目を備えず一体的に編成された伸縮性編地で形成されている。爪先部１０２および踵部１０８は袋状に編成されており、外観上、爪先側切替線１２０および踵側切替線１２２が見えている。しかしながら、これらの爪先側切替線１２０および踵側切替線１２２は、外観上見えるだけであって縫合線でも接合線でもなく、裏側（足Ｆが当接する側）はもちろんのこと表側も滑らかに編成されている。
【００１５】
これらの編成方法は、靴下やパンティストッキング等を製造する通常の方法（たとえばホールガーメント編み等）により編成することができる。この場合において、このフットカバー１００は、後述するゴム編み部を含めて、一体的に編成（編み機から直接立体的に１つの足装着具として編成）される。
そして、足底部１０４に対して上下反対側に足を出し入れするための開口部が設けられている。この開口部を形成する、爪先部１０２の上縁および踵部１０８の上縁は、履きやすさおよび着用時に足Ｆからフットカバー１００がずれることを防止するためにゴム編み
で編成されている。図１〜図３においては、爪先部１０２の上縁のゴム編みを爪先側ゴム編み部１１２として、踵部１０８の上縁のゴム編みを踵側ゴム編み部１１８として示す。
【００１６】
なお、開口部は、爪先部１０２の上縁および踵部１０８の上縁以外にも、側辺部１０６によっても形成されているが、本実施の形態に係るフットカバー１００においては側辺部１０６の上縁はゴム編みで編成されておらず、側辺部１０６の上縁は解れないように編成されて解れ防止編み部を形成している。
このように、このフットカバー１００は、全体を縫い目のない編地で編成したことに加えて開口部における爪先側（爪先部１０２の上縁）および踵側（踵部１０８の上縁）をゴム編みとしたことを特徴とするが、本発明は、開口部における爪先側および踵側の少なくともいずれかをゴム編みとすればよい。このため、側辺部１０６の上縁もゴム編みで編成しても構わないし、このフットカバー１００のように開口部における爪先側および踵側をゴム編みとしても構わない。上述したように、これらのゴム編みは、フットカバー１００を形成する爪先部１０２、足底部１０４、側辺部１０６および踵部１０８の全ての部分と一体的に編成（編み機から直接立体的に１つの足装着具として編成）される。
【００１７】
特に、この爪先側ゴム編み部１１２においては、図２に示すように表側には弧線上の突起部１１２Ａがあるが、図３に示すように裏側（すなわち足Ｆが当接する側）にはこのような突起部は存在しない。このため、足Ｆが当接してもこのような突起部１１２Ａが足肌に当たらないので履き心地が好ましい。また、踵側ゴム編み部１１８も同様に構成することも履き心地をよくする点で好ましい。
【００１８】
さらに、図示しないが、踵部１０８において足Ｆ側（内側）には、シリコン樹脂等の薄いシートで形成された踵部滑り止めを設けることも好ましい。これにより、足Ｆの踵との密着性を高めてフットカバー１００が足Ｆからずれることを防止できる。また、足底部１０４において、足Ｆが接する側と反対側（スニーカーやパンプスを履いたときにスニーカーやパンプスの内底に接する側）には、シリコン樹脂等の薄いシートで形成され、足底部滑り止めを設けることも好ましい。これにより、スニーカーやパンプスの内底との密着性を高めてスニーカーやパンプス内におけるフットカバー１００の位置がずれることを防止できる。なお、このような足底部滑り止めを、足Ｆが接する側（内側）にも設けることも、足Ｆが接する側（内側）のみに設けることも考えられる。
【００１９】
以上のようにして、本実施の形態に係るフットカバーによると、フットカバーを形成する全ての部分（ゴム編み部も解れ防止編み部も含む）を、縫い目を備えず一体的に編成された伸縮性編地で形成している。すなわち、ミシンおよび接着剤等を一切使用していない。このため、素足に着用した場合であっても履き心地が極めて良い。また、足底部に対して上下反対側に足を出し入れするための開口部における爪先側および踵側の少なくともいずれかをゴム編みで編成したため、縫合線および接合線を備えないにも関わらず、スニーカーやパンプスから露出しないよう開口部が大きくカットされていても歩行中の摩擦等によって履き位置がずれたり、脱げたりすすることがない。このため、素足に着用した場合であっても履き心地が良く、ずれたり脱げたりしないフットカバーを提供することができる。
【００２０】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２１】
本発明は、素足で履くフットカバーに好適であり、素足に着用した場合であっても履き心地を良くすることができる点で特に好ましい。
【符号の説明】
【００２２】
１００  フットカバー
１０２  爪先部
１１２  爪先側ゴム編み部
１０４  足底部
１０６  側辺部
１０８  踵部
１１８  踵側ゴム編み部
１２０  爪先側切替線
１２２  踵側切替線
Ｆ  足
【図１】
2014047433.tif 000003
【図２】
2014047433.tif 000004
【図３】
2014047433.tif 000005